(57)【特許請求の範囲】
【請求項１】
透明電極を有する第一電極基板と反射電極を有する第二電極基板とを所定の間隔で周辺接着剤を介して貼り合わせることで形成された空間に液晶を封入してなる液晶パネルと、
当該液晶パネルに光を供給する光源と、
当該光源から出射された光のうち一方の偏向光のみを透過させる偏光板と、
当該偏光板を通過した前記一方の偏向光を前記液晶パネルに向けて反射すると共に、前記一方の偏向光とは偏向方向が異なる他方の偏向光を透過させるように配置された偏光ビームスプリッターと、
当該偏光ビームスプリッターと前記液晶パネルとの間に、前記液晶パネルの表示領域以外の部分を覆うように配置された見切りとを備え、
前記液晶パネルの画像を前記偏光ビームスプリッターを透して観察するように構成された反射型液晶表示装置において、
前記見切りを偏光板で構成し、前記偏光ビームスプリッターが反射する前記一方の偏向光を透過させると共に、前記一方の偏向光とは偏向方向が異なる前記他方の偏向光を遮断するように配置したことを特徴とする反射型液晶表示装置。
【発明の詳細な説明】
【技術分野】
【０００１】
本発明は反射型液晶表示装置に関するものである。
【背景技術】
【０００２】
反射型液晶表示装置は、電子ビューファインダー等に多く用いられ、近年では、民生用の小型デジタルカメラや業務用の大型高精細カメラなどに幅広く用いられている。
【０００３】
図２は従来技術による反射型液晶表示装置の断面図である。液晶パネル１は、第一電極基板２と第二電極基板３とが枠状の周辺接着剤４を介して接着されることで形成された空間に液晶５が封入されてなる反射型液晶パネルで、第一電極基板２には透明電極（対向電極）と配向膜が形成され、第二電極基板３には反射電極（画素電極）と配向膜が形成されている。液晶パネル１は、回路基板６上に搭載され、第一電極基板２と回路基板６とが導電性接着剤を介して、また、第二電極基板３と回路基板６とがボンディングワイヤーを介して、電気的に接続されている。
【０００４】
回路基板６上には、光源７と拡散板８と偏光板９と偏光ビームスプリッター（反射型偏光板）１０とをドーム態様の筐体１１に一体的に組み付けてなるイルミネーター１２が、液晶パネル１を覆うように搭載されている。偏光ビームスプリッター１０は、互いに直交する関係にある二種類の偏向光Ｐ１、Ｐ２のうち何れか一方（偏向光Ｐ２）のみを透過させ、他方（偏向光Ｐ１）を反射するもので、偏光方向が偏光板９とクロスニコルの関係（同じ偏向光を透過させない位置関係）となるように配置されている。
【０００５】
以上の反射型液晶表示装置において、光源７より発せられた光は、拡散板８を通り面内の均一な光に分散された後、偏光板９を通ることで一方のみの偏向光Ｐ１となり、偏光ビームスプリッター１０で反射されて液晶パネル１に入射する。液晶パネル１に入射した偏向光Ｐ１は、第一電極基板２と液晶５を透過し、第二電極基板３上の反射電極に垂直に入射して逆方向へと反射される。逆方向へ反射された偏向光Ｐ１は、液晶５と第一電極基板２を再度透過し、その過程で偏向光Ｐ１の一部が他方の偏向光Ｐ２へと変換され、偏光ビームスプリッター１０を透過して観察者の目に画像として表示される。
【０００６】
ここで、偏光ビームスプリッター１０で反射されて液晶パネル１に入射した光は、照射範囲が広く、液晶パネル１の表示領域以外にも照射され、画像の見栄えを悪化させることから、一般的に液晶パネル１の上方には、表示領域以外の部分を覆うように、金属板等の表面に遮光処理（黒色塗装等）を施してなる枠状の見切り１３が配置されている。見切り１３を配置することで、表示領域以外の部分が黒色で表示され、画像の見栄えが向上する。（例えば、特許文献１参照）
【先行技術文献】
【特許文献】
【０００７】
【特許文献１】特開２００３−１６１９１５
【発明の概要】
【発明が解決しようとする課題】
【０００８】
図３は従来技術による課題を示す断面図である。従来技術では、液晶パネル１の表示領域以外の部分に見切り１３を配置することで画像の見栄えを良くしているが、見切り１３の表面には、黒色塗装の塗装ムラや母材自体の表面粗さにより微妙な凹凸がある為、見切り１３に照射された光が表面の凹凸により乱反射し、イルミネーター１２内に散乱して画像のコントラストが低下するという問題がある。見切り１３に入射する光は、偏光ビームスプリッター１０を透過しない偏向光Ｐ１である為、そのまま反射されれば偏光ビームスプリッター１０に遮られて外部へ出射されることはないが、実際には見切り１３の表面で乱反射され、その一部が偏光ビームスプリッター１０を透過する偏向光Ｐ２へと変わる為、それが偏光ビームスプリッター１０を透過して画像のコントラストを低下させる。また、そのようにイルミネーター１２内で光の乱反射が発生すると、イルミネーター１２内部の構造（見切り１３の表面状態等）が観察者に見え易くなり、見栄えも悪くなってしまう。
【０００９】
本発明は以上の問題点に鑑みてなされたもので、画像のコントラスト及び見栄えの良い反射型液晶表示装置を提供することを目的とする。
【課題を解決するための手段】
【００１０】
透明電極を有する第一電極基板と反射電極を有する第二電極基板とを所定の間隔で周辺接着剤を介して貼り合わせることで形成された空間に液晶を封入してなる液晶パネルと、当該液晶パネルに光を供給する光源と、当該光源から出射された光のうち一方の偏向光のみを透過させる偏光板と、当該偏光板を通過した前記一方の偏向光を前記液晶パネルに向けて反射すると共に、前記一方の偏向光とは偏向方向が異なる他方の偏向光を透過させるように配置された偏光ビームスプリッターと、当該偏光ビームスプリッターと前記液晶パネルとの間に、前記液晶パネルの表示領域以外の部分を覆うように配置された見切りとを備え、前記液晶パネルの画像を前記偏光ビームスプリッターを透して観察するように構成された反射型液晶表示装置において、前記見切りを偏光板で構成し、前記偏光ビームスプリッターが反射する前記一方の偏向光を透過させると共に、前記一方の偏向光とは偏向方向が異なる前記他方の偏向光を遮断するように配置した反射型液晶表示装置とする。
【発明の効果】
【００１１】
本発明によると、見切り表面での光の乱反射が無くなる為、画像のコントラストと見栄えが向上する。
【図面の簡単な説明】
【００１２】
【図１】本発明による反射型液晶表示装置の断面図
【図２】従来技術による反射型液晶表示装置の断面図
【図３】従来技術による課題を示す断面図
【発明を実施するための形態】
【００１３】
図１は本発明による反射型液晶表示装置の断面図である。液晶パネル１は、第一電極基板２と第二電極基板３とが枠状の周辺接着剤４を介して接着されることで形成された空間に液晶５が封入されてなる反射型液晶パネルで、第一電極基板２には透明電極（対向電極）と配向膜が形成され、第二電極基板３には反射電極（画素電極）と配向膜が形成されている。液晶パネル１は、回路基板６上に搭載され、第一電極基板２と回路基板６とが導電性接着剤を介して、また、第二電極基板３と回路基板６とがボンディングワイヤーを介して、電気的に接続されている。
【００１４】
回路基板６上には、光源７と拡散板８と偏光板９と偏光ビームスプリッター（反射型偏光板）１０とをドーム態様の筐体１１に一体的に組み付けてなるイルミネーター１２が、液晶パネル１を覆うように搭載されている。偏光ビームスプリッター１０は、互いに直交する関係にある二種類の偏向光（Ｐ１、Ｐ２）のうち何れか一方（偏向光Ｐ２）のみを透過させ、他方（偏向光Ｐ１）を反射するもので、偏光方向が偏光板９とクロスニコルの関係（同じ偏向光を透過させない位置関係）となるように配置されている。尚、ここまでの構成は、従来技術と同様である。
【００１５】
液晶パネル１の上方（液晶パネル１と偏光ビームスプリッター１０との間）には、液晶パネル１の表示領域以外の部分を覆うように、見切りとして機能する見切り用偏光板１４が配置されている。見切り用偏光板１４は、互いに偏向方向の異なる二種類の偏向光Ｐ１、Ｐ２のうち何れか一方（偏向光Ｐ１）のみを透過させ、他方（偏向光Ｐ２）を吸収する吸収型偏光板、又は、二種類の偏向光のうち何れか一方（偏向光Ｐ１）のみを透過させ、他方（偏向光Ｐ２）を反射する反射型偏光板、の何れかで構成されている。
【００１６】
ここで、見切り用偏光版１４は、偏向方向が偏光ビームスプリッター１０とはクロスニコルの関係（同じ偏向光を透過させない位置関係）となり、偏光板９とはパラレルの関係（同じ偏向光を透過させる位置関係）となるように配置されている。但し、これらの配置は、偏向光Ｐ１、Ｐ２の偏向方向が互いに直交する場合の配置であり、偏向方向の関係がそれ以外の場合には、それに応じた位置関係で適宜配置されることとなる。
【００１７】
以上の反射型液晶表示装置において、光源７から光を供給して液晶パネル１に実際に画像を表示させると、見切り用偏光板１４に照射された偏向光Ｐ１は、一旦見切り用偏光板１４を透過し、その先にある回路基板６や液晶パネル１の表面で乱反射され、再度見切り用偏光板１４側に戻ってくる。この時、戻ってきた光が、偏光ビームスプリッター１０を透過する偏向光Ｐ２を含んでいたとしても、偏向光Ｐ２は見切り用偏光板１４により遮断（吸収又は反射）される為、偏光ビームスプリッター１０に到達することはない。
【００１８】
一方、戻ってきた光に含まれる偏向光Ｐ１は、見切り用偏光板１４を再度透過し、その先の偏光ビームスプリッター１０へと入射する。偏光ビームスプリッター１０に入射した偏向光Ｐ１は、見切り用偏光版１４とクロスニコルの位置関係で配置された偏光ビームスプリッター１０を透過できない為、偏光ビームスプリッター１０で遮断（反射）され、イルミネーター１２外部へ出射することはない。
【００１９】
これらにより、液晶パネル１の表示領域以外の部分での光の乱反射が無くなり、画像のコントラストが高くなると共に、表示領域以外の部分が深い色合いの黒色となって見栄えが向上する。
【００２０】
以上説明した本発明による反射型液晶表示装置は、あくまで一実施例であり、本発明の主旨を逸脱しない範囲で種々の変更が可能である。
【００２１】
例えば、光源７、偏光板９、偏光ビームスプリッター１０は、筐体１１に一体的に組み付けられていなくともよく、各々別々の部材に組み付けられていてもよい。
【００２２】
また、光源７から出射された光が、偏光板９→偏光ビームスプリッター１０→液晶パネル１→偏光ビームスプリッター１０→観察者、という経路でイルミネーター１２外部へ出射されるように構成されているのであれば、各構成要素の配置角度や位置関係は適宜変更することが可能である。具体的な例として、例えば、光源７をその出光面が偏光板９の主面と直交するように配置すると共に、出光面と対向する位置に反射板や導光板を配置して、光路を偏光板９の主面と直交する方向に変換することも可能である。
【００２３】
また、光源７と偏光板９との間に配置された拡散板８は、必須要素ではなく、省略することが可能である。
【符号の説明】
【００２４】
１    液晶パネル
２    第一電極基板
３    第二電極基板
４    周辺接着剤
５    液晶
６    回路基板
７    光源
８    拡散板
９    偏光板
１０  偏光ビームスプリッター（反射型偏光板）
１１  筐体
１２  イルミネーター
１３  見切り
１４  見切り用偏光板
【図１】
0005713812.tif 000002
【図２】
0005713812.tif 000003
【図３】
0005713812.tif 000004